(57)【特許請求の範囲】
【請求項１】
掃除用電気器具用のワンド組立体であって、
チャネルを有する取っ手部分と、
前記チャネル内に受け入れられ、且つ前記取っ手部分に対して動くことができる管状ワンドと、
ロック位置とロック解除位置との間で動くことができ、前記ロック位置にあるときに前記ワンドの前記取っ手部分に対する移動を阻止し、且つ前記ロック解除位置にあるときに前記ワンドの前記取っ手部分に対する移動を許容するロック手段と、
前記ワンドに取り付けられ、前記ロック手段を前記ロック位置から前記ロック解除位置に動かすよう作動可能な解除機構体と、を有し、前記解除機構体は、前記ワンドの前記長手方向軸線に平行な方向に前記解除機構体を前記ワンドに対して並進させることによって、または前記ワンドの長手方向軸線回りに前記解除機構体を前記ワンドに対して回転することによって作動され、
前記ロック手段は、ロック形状部と、ロック位置とロック解除位置との間で動くことができる留め部とを有し、前記ロック形状部は、前記取っ手部分及び前記ワンドのうちの一方に設けられ、前記留め部は、前記取っ手部分及び前記ワンドのうちの他方に設けられ、前記留め部は、前記ロック位置にあるときに前記ロック形状部に係合して前記取っ手部分に対する前記ワンドの移動を阻止し、前記解除機構体は、前記留め部を前記ロック位置から前記ロック解除位置に動かして前記留め部を前記ロック形状部から離脱させ、かくして前記取っ手部分に対する前記ワンドの移動を可能にするよう作動可能である、ワンド組立体。
【請求項２】
第１の力を前記解除機構体に加えることにより、前記解除機構体は、前記ワンドに対して動いて前記解除機構体を作動させ、次の第２の力を前記解除機構体に加えることにより、前記ワンドは、前記取っ手部分に対して動く、請求項１記載のワンド組立体。
【請求項３】
前記第１の力及び前記第２の力は、前記ワンドの前記長手方向軸線に平行な方向に向いている、請求項２記載のワンド組立体。
【請求項４】
前記留め部は、付勢力によって前記ロック位置に付勢されており、前記解除機構体を作動させることにより、前記解除機構体は、第１の位置から第２の位置に動き、前記解除機構体は、前記第１の位置から前記第２の位置に動くとき、前記付勢力とは反対に前記留め部に対向した力を及ぼし、前記解除機構体の一表面は、前記留め部の一表面に当接して前記対向力を及ぼし、前記解除機構体の一表面及び前記留め部の前記表面のうちの少なくとも一方は、前記解除機構体を前記第１の位置から前記第２の位置に動かすにつれて、前記対向力の強さが増大するよう傾けられている、請求項１〜３のいずれか一に記載のワンド組立体。
【請求項５】
前記解除機構体は、前記ワンドの一端部を包囲するスリーブを有する、請求項１〜４のうちいずれか一に記載のワンド組立体。
【請求項６】
前記取っ手部分は、前記掃除用電気器具の支持部材に取り付け可能であり、前記取っ手部分及び前記支持部材のうちの一方は、前記掃除用電気器具からの前記ワンド組立体の分離が阻止されるロック位置と、前記掃除用電気器具からの前記ワンド組立体の分離が許容されるロック解除位置との間で動くことができる支持留め部を有し、前記ワンド組立体は、前記ワンドの前記取っ手部分に対する移動に応答して、前記支持留め部を前記ロック位置から前記ロック解除位置に動かすよう構成された支持体解除部材を更に有する、請求項１〜５のうちいずれか一に記載のワンド組立体。
【請求項７】
前記ワンド組立体は、ロック位置とロック解除位置との間で動くことができる別のロック手段を有し、前記ワンドは、第１の位置と第２の位置との間で前記取っ手部分に対して動くことができ、前記ロック手段は、前記ロック位置にあるとき前記第１の位置からの前記ワンドの移動を阻止し、前記ロック解除位置にあるとき前記ワンドの動きを許容し、前記別のロック手段は、前記ロック位置にあるときに前記第２の位置からの前記ワンドの移動を阻止し、前記ロック解除位置にあるときに前記ワンドの移動を許容する、請求項１〜６のうちいずれか一に記載のワンド組立体。
【請求項８】
前記取っ手部分は、前記掃除用電気器具の支持部材に取り付け可能であり、前記別のロック手段は、前記支持部材への前記取っ手部分の取り付けに応答して前記ロック位置から前記ロック解除位置に動くよう構成されている、請求項７記載のワンド組立体。
【発明の詳細な説明】
【技術分野】
【０００１】
本発明は、掃除用電気器具、特に直立型掃除機（しかしながら、これには限られない）のワンド組立体に関する。
【背景技術】
【０００２】
直立型掃除機は、床上掃除のためのワンド組立体を有する。空気取入れ口を主掃除機ヘッドとワンド組立体との間で切り換える切換え装置が設けられている場合が多い。切換え装置は、掃除機の本体の位置によって作動可能であり、本体が傾斜位置にあるとき空気が掃除機ヘッドを通って吸い込まれ、本体が完全直立位置にあるときに空気がワンド組立体を通って引き込まれる。しかしながら、ユーザが掃除機を完全直立位置にした状態で主掃除機ヘッドを使用したいと思う場合がある。加うるに、直立型掃除機は、一般に、本体が完全直立位置にある状態で電力供給され、これは、傾斜位置ではバランスが取れない掃除機について特に当てはまる。したがって、空気が、期待したように主掃除機ヘッドではなくワンド組立体を通って吸い込まれるので、ユーザは、電力供給時に掃除機に問題があるのではないかと誤認する場合がある。
【０００３】
掃除機の位置に応答して切換え装置を作動させるのではなく、変形例として、切換え装置は、ワンド組立体の格納及び掃除機からのワンド組立体の取り外しに応答して作動されても良い。この変形構成例では、ワンド組立体は、典型的には、２つの位置の間で動くことができる切換え装置のコンポーネントに係合する。第１の位置では、切換え装置は、ワンド組立体を選択し、第２の位置では、掃除機ヘッドが選択される。このコンポーネントは、（例えば、ばねによって）第１の位置に向かって付勢され、ワンド組立体を掃除機から取り外すと、切換え装置が自動的にワンド組立体を選択する。これとは対照的に、ワンド組立体が掃除機に格納されると、ワンド組立体は、付勢力に抗して力をこのコンポーネントに加え、それによりコンポーネントが第２の位置に動き、切換え装置が主掃除機ヘッドを選択するようになる。
【発明の概要】
【発明が解決しようとする課題】
【０００４】
この種の切換え装置に関する問題は、ワンド組立体が掃除機に格納されたとき、定位置にしっかりと保持されなければならないということである。ワンド組立体を固定しなければ、掃除機の使用中に生じる振動並びに切換え装置からの付勢力により、ワンド組立体の位置が動く場合がある。この場合、ワンド組立体の位置の移動は、切換え装置に伝達され、その結果、主掃除機ヘッドにおける吸引力が低下する。しかしながら、ワンド組立体を掃除機に固定することにはそれ自体の問題がある。具体的に言えば、ロック機構体は、典型的には扱いにくく、ワンド組立体を掃除機からロック解除したり取り外したりするためには両手が必要である。加うるに、直立掃除から床上方掃除への変更には、典型的には、３つの互いに異なる行為、即ち、ワンド組立体のロック解除、掃除機の本体からのワンド組立体の取り外し、及び入れ子式ワンドの伸長が必要である。次に、直立掃除に戻す際に同じ３つの行為を逆に繰り返し行う必要があり、これらは全て、ユーザにとって厄介であって手間が掛かり過ぎるように思われる。
【０００５】
したがって、本発明は、掃除用電気器具、特に直立型掃除機（これには限定されない）に用いられる改良型ワンド組立体を提供することを目的とする。
【課題を解決するための手段】
【０００６】
したがって、第１の観点では、本発明は、掃除用電気器具のワンド組立体であって、チャネルが貫通して設けられた取っ手部分と、チャネル内に受け入れられ、且つチャネル内において第１の位置と第２の位置との間で動くことができる管状ワンドと、ロック位置とロック解除位置との間で動くことができるロック手段とを有し、ロック手段は、ロック位置にあるときに第１の位置からのワンドの移動を阻止し、ロック解除位置にあるときに第１の位置からのワンドの移動を許容し、ワンド組立体は、ワンドに取り付けられ、且つロック手段をロック位置からロック解除位置に動かすよう作動可能な解除機構体を更に有し、解除機構体は、ワンドに対する解除機構体の相対運動によって作動されることを特徴とするワンド組立体を提供する。
【０００７】
好ましくは、解除機構体は、第１の力を解除機構体に加えることにより、解除機構体は、ワンドに対して動いて解除機構体を作動させ、次の第２の力を解除機構体に加えることにより、ワンドは、第１の位置から第２の位置に動くように構成されている。この場合、これは、ユーザが解除機構体を掴んだままの状態でワンドをロック解除してこれを第２の位置に動かすことができ、即ち、片手のみを用いてワンドをロック解除して動かすことができるという利点がある。
【０００８】
有利には、第１の力及び第２の力は、第１の位置から第２の位置に向かう方向に向いている。それ故、単一方向の力を加えることで、ワンドをロック解除して動かすことができる。さらに、力が第１の位置から第２の位置に向かう方向に加えられるので、力は、直感でワンドの動きを生じさせる方向に加えられる。
【０００９】
有利には、取っ手部分は、掃除用電気器具の支持部材に取り付け可能であり、取っ手部分及び支持部材のうちの一方は、支持留め部を有する。支持留め部は、掃除用電気器具からのワンド組立体の分離が阻止されるロック位置と、掃除用電気器具からのワンド組立体の分離が許容されるロック解除位置との間で動くことができる。この場合、ワンド組立体は、第２の位置へ移動するワンドに応答して、支持留め部をロック位置からロック解除位置に動かすよう構成された支持体解除部材を更に有する。この場合、これは、ユーザが片手を用いてワンドをロック解除して動かすのを助ける。というのは、取っ手部分は、ワンドを第２の位置に動かす時点まで重い掃除用電気器具に固定されているからである。さらに、ワンド組立体がホースに取り付けられるとき、この構成により、ワンドによるホースへの損傷の恐れが阻止される。
【００１０】
好ましくは、取っ手部分は、取っ手部分を第１の位置から第２の位置への方向に動かすことにより支持部材から分離される。その結果、ワンドをロック解除してこれを取っ手部分で動かすことができ、次に、ワンド組立体をロック解除し、これを掃除用電気器具から分離することができ、これらは全て単一の動作によって行われる。
【００１１】
有利には、ワンド組立体は、ロック位置とロック解除位置との間で動くことができる別のロック手段を有し、別のロック手段は、ロック位置にあるときに第２の位置からのワンドの移動を阻止し、ロック解除位置にあるときにワンドの移動を許容する。この場合、これは、ワンド組立体の使用中、不用意にワンドが第２の位置に戻るのを阻止する。
【００１２】
都合のよいことに、上述の別のロック手段は、前記支持部材への前記取っ手部分の取り付けに応答して、ロック位置からロック解除位置に動くよう構成されている。したがって、ワンド組立体を掃除用電気器具に取り付ける時点までは、ワンドを第１の位置に戻すことができない。この場合、これにより、特にホースをワンド組立体に取り付ける際に、ワンド組立体を掃除用電気器具に戻すのが容易になる。加うるに、ワンドによるホースの損傷の恐れが回避される。
【００１３】
第２の観点では、本発明では、掃除機ヘッドと、ワンド組立体と、掃除ヘッド及びワンド組立体のうちの一方を選択することができる切換え装置とを有する掃除用電気器具を提供し、ワンド組立体は、チャネルが貫通して設けられた取っ手部分と、チャネル内に受け入れられ、且つチャネル内において第１の位置と第２の位置との間で動くことができる管状ワンドと、ロック位置とロック解除位置との間で動くことができるロック手段とを有し、ロック手段は、ロック位置にあるときに第１の位置からのワンドの移動を阻止し、ロック手段は、ロック解除位置にあるときに第１の位置からのワンドの移動を許容し、ワンド組立体は、ワンドに取り付けられ、且つワンドに対して相対移動してロック手段をロック位置からロック解除位置に動かすよう作動可能な解除機構体を更に有し、ワンド組立体は、掃除用電気器具に解除可能に取り付けられ、切換え装置は、ワンド組立体のワンドが第１の位置にあるときに掃除機ヘッドを選択し、ワンドが第２の位置にあるときにワンド組立体を選択する。
【図面の簡単な説明】
【００１４】
【図１】本発明のワンド組立体を有する掃除機の斜視図である。
【図２】図１の掃除機の背面図である。
【図３】図１の掃除機の背面図であり、ワンド組立体が掃除機の本体から分離されている状態を示す図である。
【図４】ワンドが引き出し位置にあるワンド組立体の斜視図である。
【図５】ワンドが引っ込み位置にあり、第１のロック手段がロック位置にあるワンド組立体の第１の部分の断面図である。
【図６】ワンドが引っ込み位置にあり、第１のロック手段がロック解除位置にあるワンド組立体の第１の部分の断面図である。
【図７】ワンド組立体が掃除機に取り付けられ、ワンドが引っ込み位置の近くに位置するワンド組立体の第２の部分の断面図である。
【発明を実施するための形態】
【００１５】
本発明を容易に理解することができるようにするため、以下に、添付の図面を参照して本発明の実施形態を例示として説明する。
【００１６】
図１〜図３は、直立型掃除機１を示しており、この直立型掃除機は、本体２、モータハウジング３内に収納されたモータ（図示せず）、分離手段４、掃除機ヘッド５、ワンド組立体６、及び切換え装置７を有している。
【００１７】
図示の実施形態では、分離手段４は、サイクロン式装置で構成される。しかしながら、流体の流れ中に同伴されたごみを分離する別の手段を均等に採用することができる。例えば、分離手段４は、変形例として、フィルタ、袋又は種々の公知の分離装置の組み合わせであって良い。
【００１８】
掃除機１は、分離手段４に結合された入口ダクト８、掃除機ヘッド５に結合されたヘッドダクト９、及びホース１１を介してワンド組立体６に結合されたワンドダクト１０を更に有している。以下に説明するように、切換え装置７は、空気が掃除機ヘッド５を介して引き込まれるようにヘッドダクト９か、空気がワンド組立体６を通って吸い込まれるようにワンドダクト１０かのいずれかに入口ダクト８を選択的に結合する。
【００１９】
ワンドダクト１０は、実質的にｖの形をしており、このワンドダクト１０の曲がり部のところに開口が設けられている。ワンドダクト１０は、切換え装置７により選択されると、一端がホース１１に結合されると共に他端が入口ダクト８に結合される。
【００２０】
切換え装置７は、弁装置１６に結合されたあぶみ１５を有している。
【００２１】
あぶみ１５は、実質的にカップの形をしており、ワンドダクト１０に旋回可能に取り付けられている。あぶみ１５は、開放位置と閉鎖位置との間で旋回でき、ねじりばね（図示せず）によって閉鎖位置に向かって付勢されている。閉鎖位置では、あぶみ１５は、ワンドダクト１０の開口を覆うと共に密封し（図３）、開放位置では、あぶみ１５は、旋回して開口から遠ざかっていて、これを露出させている（図２）。
【００２２】
弁装置１６は、あぶみ１５と入口ダクト８の両方に結合されており、あぶみ１５が開放位置にあるとき、入口ダクト８をヘッドダクト９に結合し、あぶみ１５が閉鎖位置にあるとき、入口ダクト８をワンドダクト１０に結合するよう構成されている。切換え装置７は、本発明には関連せず、かくして、弁装置１６の細部については本明細書においてこれ以上説明しない。
【００２３】
ホース１１は、ワンド組立体６に連結された第１の端部２１及びワンドダクト１０に連結された第２の端部２２を有するばね付ホースである。ホース１１の各端部は、ワンド組立体６及びワンドダクト１０への連結部が解除可能であるように弾性留め部（図示せず）を備えたカラー２３を有し、それにより、掃除機１の保守及び修理が容易になる。
【００２４】
ワンド組立体６は、格納位置（図１及び図２）及び分離位置（図３）を有する。ワンド組立体６は、格納位置にあるとき、ホース１１及びワンドダクト１０を貫通して延び、ねじりばねの付勢力に抗して下向きの力をあぶみ１５に加える。かくして、あぶみ１５は、旋回して開放位置に至り、弁装置１６は、入口ダクト８をヘッドダクト９に選択的に結合する。ワンド組立体６を掃除機１から分離すると、ワンド組立体６によりあぶみ１５に加えられる下向きの力が除かれ、かくして、ねじりばねの付勢力により、あぶみ１５は、閉鎖位置に旋回する。これに応答して、弁装置１６は、入口ダクト８をダクトワンド１０に選択的に結合する。したがって、ワンド組立体６を掃除機１に格納すると、空気が掃除機ヘッド５を通って吸い込まれ、ワンド組立体６を掃除機１から分離すると、空気がワンド組立体６を通って引き込まれる。
【００２５】
次に、図４〜図７を参照してワンド組立体６について詳細に説明する。分かりやすくする目的で、ワンド組立体６は、ホース１１から分離された状態で示されている。しかしながら、理解されるように、ワンド組立体６は、通常、図１〜図３に示されているようにホース１１に取り付けられている。
【００２６】
ワンド組立体６は、取っ手部分２５、ワンド２６、第１のロック手段、ワンド解除機構体２８、第２のロック手段及び支持体解除部材３０を有している。図５及び図６は、第１のロック手段及びワンド解除機構体２８の付近のワンド組立体６を示し、図７は、第２のロック手段及び支持体解除部材３０の付近のワンド組立体を示している。
【００２７】
取っ手部分２５は、本体３１、第１の掴み取っ手３２、第２の掴み取っ手３３、及び覆いキャップ３４を有している。
【００２８】
取っ手部分２５の本体３１を貫通してチャネル３５が形成され、このチャネルは、ワンド２６をチャネル３５内に受け入れることができるように寸法決めされている。本体３１は、掃除機１の本体２の支持部材２４の一端部を受け入れる支持体受入れ凹部３６を更に有している。
【００２９】
第１の取っ手３２は、掃除機１を従来の直立位置で操縦する際に便利な掴み取っ手を提供するよう形作られており、これに対し、第２の取っ手３３は、ワンド組立体６を床上掃除のために操縦をする際に、便利な掴み取っ手となるよう形作られている。第１の取っ手３２及び第２の取っ手３３は、掃除機１及びワンド組立体６を操縦するための便利な手段となるが、これら取っ手は、必要不可欠であるというわけではなく、省いても良い。取っ手３２，３３のうちの一方又は両方が省かれる場合、掃除機１及び／又はワンド組立体６を操縦するために、代わりに、取っ手部分２５の本体３１を掴むのが良い。別の変形例として、掃除機１の本体２は、ワンド組立体６とは別個独立である、掃除機１の操縦用の取っ手を有しても良い。
【００３０】
覆いキャップ３４は、取っ手部分２５の本体３１に旋回可能に取り付けられており、閉鎖位置と開放位置との間で旋回する。閉鎖位置では、覆いキャップ３４は、ワンド組立体６が使用されていないとき、物体がワンド２６内に落下するのを阻止するようワンド解除機構体２８の端部を覆っている。開放位置では、ワンド解除機構体２８の端部は、以下に詳細に説明するように、ワンド２６を取っ手部分２５から引き出すことができるように覆われない状態となる。
【００３１】
ワンド２６は、第１の端部３８及び第２の端部３９を備えた管３７を有し、この管３７の外面に沿って直線溝４０が延びている。ワンド２６は、取っ手部分２５のチャネル３５内に受け入れられ、第１の位置と第２の位置との間でチャネル３５の長手方向軸線に平行な方向にチャネル３５内で動くことができる。取っ手部分２５の本体３１の一部をなす舌状突起４１が、取っ手部分２５に対するワンド２６の回転運動を阻止する一方で長手方向の並進運動を可能にするように、溝４０内に突き出ている。
【００３２】
第１の位置は、ワンド２６の第１の端部３８が取っ手部分２５から遠くに位置し、ワンド２６の第２の端部３９が取っ手部分２５の近くに位置する（例えば、図１、図２及び図５）、ワンド２６の引っ込み位置に相当する。これとは逆に、第２の位置は、ワンド２６の第１の端部３８が取っ手部分２５の近くに位置し、ワンド２６の第２の端部３９が取っ手部分２５から遠くに位置する（例えば、図３及び図４）、ワンド２６の引き出し位置に相当する。図２で理解できるように、ワンド組立体６が掃除機１に取り付けられると共にワンド２６が引っ込み位置にあるとき、ワンド２６は、ホース１１及びワンドダクト１０を貫通して延び、下向きの力を切換え装置７のあぶみ１５に加える。
【００３３】
図７で理解できるように、溝４０は、管３７の第１の端部３８から或る所定距離を置いたところで終端し、その結果、舌状突起４１は、ワンド２６を引き出す際、即ち、ワンド２６を引っ込み位置から引き出し位置に動かす際、取っ手部分２５からワンド２６が分離するのを阻止する。以下に説明するワンド解除機構体２８は、ワンド２６を引っ込める際、即ち、ワンド２６を引き出し位置から引っ込み位置に動かす際に、取っ手部分２５からワンド２６が分離するのを阻止する。
【００３４】
次に図５及び図６を参照すると、第１のロック手段は、弾性留め部４２及びロック突出部４３を含む。
【００３５】
弾性留め部４２は、チャネル３５に隣接した箇所で取っ手部分２５の本体３１に旋回可能に取り付けられている。留め部４２は、ベース部４５、前壁４６、後壁４７及び２つの側壁（図では見えない）を備えたクレードル４４を有している。ピボットアーム４８が、後壁４７に向かう方向に厚壁４７を越えて各側壁から延びている。各ピボットアーム４９の自由端部は、外方に突き出たピンを有し、このピンは、取っ手部分２５の本体３１に設けられた凹部によって受け入れられ、留め部４２が取っ手部分２５に対して自由に旋回することができるようになっている。留め部４２は、クレードル４４の開放面（即ち、ベース部４５と反対側の面）がチャネル３５の中心に向かって差し向けられるように、取っ手部分２５に取り付けられている。ねじりばね（図示せず）が、ピボットピンのうちの１つの周りに設けられ、付勢力を留め部４２に及ぼす。
【００３６】
留め部４２は、ねじりばねの付勢力に抗して、ロック位置（図５）とロック解除位置（６）との間で動くことができる。ロック位置では、ばねの付勢力は、クレードル４４をチャネル３５の中心に向かって押圧する。ロック解除位置では、留め部４２は、ばねの付勢力に抗して旋回し、クレードル４４をチャネル３５の中心から押し離す。
【００３７】
クレードル４４の後壁４７の内面５３は、後壁４７がクレードル４４のベース部４５のところで厚くなるように傾斜がつけられている。さらに、内面５３の傾斜の度合いは、留め部４２がロック位置にあるとき、内面５３がチャネル３５の長手方向軸線に対して傾斜するようなものである。
【００３８】
ロック突出部４３は、管３７の第２の端部３９の近くでワンド２６に設けられており、このロック突出部は、先端面５５及び後続面５６を有している。先端面５５は、ロック位置にあるとき、クレードル４４の前壁４６の外面５４に実質的に平行な平面内でワンド２６から外方に突き出る。以下に詳細に説明するように、これにより、確実なロックを留め部４２とロック突出部４３との間に形成することができる。後続面５６は、ワンド２６から先端面５５の外縁部まで凸に湾曲している。
【００３９】
留め部４２及びロック突出部４３は、図５に示すように、ワンド２６が引っ込み位置にあると共に留め部４２がロック位置にあるとき、ロック突出部４３の先端面５５がクレードル４４の前壁４６に当接するよう構成されている。かくして、引っ込み位置から引き出し位置へのワンド２６の移動は、留め部４２とロック突出部４３の係合により阻止される。ロック突出部４３の先端面５５がクレードル４４の前壁４６の外面５４に平行なので、ロック突出部４３によって留め部４４に加えられる力は、一点ではなく表面全体にわたり分配される。加うるに、ロック突出部４３により留め部４２に加えられる力は、留め部４２の旋回の中心となる回転軸線に向かって差し向けられ、したがって回転軸線に垂直な方向に加えられる力はゼロである（又はほとんどない）。その結果、確実なロックが、留め部４２とロック突出部４３との間に形成される。
【００４０】
図６に示されているように留め部４２がロック解除位置にあるとき、クレードル４４は、ロック突出部４３から離れ、かくして、引っ込み位置から引き出し位置へのワンド２６の移動が可能である。かくして、留め部４２及びロック突出部４３は、引っ込み位置から引き出し位置へのワンド２６の移動が、留め部４２がロック位置にあるときには阻止され、留め部４２がロック解除位置にあるときには許容されるように構成されている。
【００４１】
ワンド組立体６の使用に続き、ワンド２６を引き出し位置から引っ込み位置に戻す。ワンド２６が引っ込み位置に近づくと、ロック突出部４３の後続面５６は、クレードル４４の後壁４７に当接する。ワンド２６を更に引っ込めると、後続面５６の湾曲面は、漸増する力をクレードル４４に加え、それによりクレードル４４は、ロック位置からロック解除位置に旋回する。最後に、ロック突出部４３がクレードル４４から離れると、留め部４２は、ねじりばねの力を受けてスナップ動作でロック解除位置からロック位置に戻る。引き出し位置からのワンド２６の引っ込みは、かくして、第１のロック手段によって妨げられることはない。
【００４２】
ワンド解除機構体２８は、ワンド２６を包囲すると共にワンド２６の第２の端部３９を越えて延びるスリーブ５７を有している。ワンド２６を越えて延びるスリーブ５７の部分は、付属ツール（図示せず）の一端部を受け入れるよう寸法決めされている。しかしながら、スリーブ５７が付属ツールをワンド組立体６に使用することができるようにするためにワンド２６を越えて延びることは、必須の要件ではない。変形例として、ワンド２６の端部は、スリーブ５７を越えて延びても良く又はこれと一緒に終端しても良く、付属ツールの端部は、ワンド２６の端部内に又はその周りに受け入れられる。
【００４３】
スリーブ５７は、ワンド２６に対して動くことができ、このスリーブは、位置決め突部５８を有し、この位置決め突部は、スリーブ５７の回転運動が阻止される一方でワンド２６の長手方向軸線に平行な方向における並進運動が許容されるように、ワンド２６の溝４０内に突き出ている。凹部５９が、スリーブ５７の内面に設けられており、この凹部５９は、長手方向に延び、ワンド解除機構体２８は、ワンド２６に固定された制限突部６０を更に有している。制限突部６０は、スリーブ凹部５９内に突き出ており、第１の位置（図５）と第２の位置（図６）との間におけるワンド２６に対するスリーブ５７の並進を制限する。スリーブ５７の位置決め突部５８とワンド２６に設けられたブレース６２との間に設けられた圧縮ばね６１が、スリーブ５７を第１の位置に向かって付勢する。
【００４４】
窓６３が、スリーブ５７に形成されており、第１のロック手段のロック突出部４３は、この窓を通って突き出る。スリーブ５７は、窓６３とスリーブ５７の開放端部（即ち、ワンド２６を越えて延びるスリーブ５７の端部）との間でスリーブ５７の外面に設けられた解除突出部６４を有している。より具体的に説明すると、解除突出部６４は、窓６３に隣接して設けられていて、ロック突出部４３と長手方向に整列する。解除突出部６４は、解除突出部６４がスリーブ５７の開放端部に向かってテーパするように傾斜面６５（即ち、ワンド２６の長手方向軸線に対して傾斜する面）を有している。
【００４５】
ワンド解除機構体２８は、作動力をスリーブ５７に加えることによって作動され、この作動力により、スリーブ５７は、ワンド２６の長手方向軸線に平行な方向にワンド２６に対して動く。より具体的に説明すると、スリーブ５７は、引っ込み位置から引き出し位置に向かう方向に動く。ワンド解除機構体２８は、スリーブ５７を引っ張ることにより作動されるようになっている。したがって、スリーブ５７は、ユーザがスリーブ５７を掴んでワンド解除機構体２８を引っ張ってこれを作動させるのを助けるようになった突起６６を備えている。
【００４６】
図５で理解できるように、第１のロック手段及びワンド解除機構体２８は、ワンド２６が引っ込み位置にあるとき、解除突出部６４が留め部４２のクレードル４４内に突出し、即ち、解除突出部６４がクレードル４４のベース部４５及び壁４６，４７によって形成された凹部内に突出するよう構成されている。ワンド解除機構体２８の作動時に、スリーブ５７は、図６に示すように第２の位置に動く。スリーブ５７がワンド２６に対して動くと、解除突出部６４は、クレードル４４の後壁４７に当接してこれを押す。後壁４７の傾斜内面５３並びに解除突出部６４の傾斜面６５により、解除突出部６４は、スリーブ５７が第２の位置に動くにつれて、漸増力を後壁４７に加え、それにより、留め部４２は、ロック位置からロック解除位置に旋回する。留め部４２がロック解除位置にある状態では、ワンド２６は、引っ込み位置から引き出し位置に自由に動くことができる。
【００４７】
ワンド解除機構体２８が第２の位置にあるとき、ワンド解除機構体２８に更に加えられる作動力は、スリーブ凹部５９内に突き出た制限突部６０により、ワンド２６に直接伝達される。その結果、ワンド解除機構体２８がユーザにより引っ張られると、ワンド解除機構体２８が作動され、次いでワンド２６が引き出される。
【００４８】
第１のロック手段は、ワンド２６がロック位置にあるときには取っ手部分２６から引き出すことができないのを保証する。具体的に言えば、力をワンド２６に直接加えてもワンド２６を引っ込み位置から引き出すことができない。それ故、ワンド組立体６が図２に示されているように掃除機１の本体２に格納される場合、上向きの力を切換え装置７によってワンド２６に加えても、取っ手２５内でのワンド２６の移動を生じさせることはできない。したがって、掃除機１が従来の直立位置で用いられているとき、ワンド２６が不用意に取っ手２５に対して動く恐れがない。
【００４９】
第１のロック手段は、ワンド２６が取っ手２５内で不用意に動かないようにするが、ワンド解除機構体２８は、ワンド２６のロック解除と次の引き出しの両方を行う便利な手段となる。具体的に言えば、ワンド解除機構体２８をワンド２６に可動的に取り付けることにより、ワンド解除機構体２８を引っ張ることができ、それによりワンド２６をロック解除し、次にこれを取っ手部分２５から引き出すことができる。それ故、ワンド２６は、１回の操作でロック解除できると共に引き出すことができる。さらに、ユーザはワンド解除機構体２８を把持する必要があるだけなので、片手だけを用いてワンド２６をロック解除してこれを引き出すことができる。
【００５０】
次に図７を参照すると、第２のロック手段は、取っ手部分２５に設けられたロックカラー６７及びワンド２６に設けられたロック凹部６８を有している。
【００５１】
ロックカラー６７は、実質的に円形であり、カラー６７の中心に向かって内方に延びるロックタブ６９を有している。ロックタブ６９と直径方向反対側にはピン７０が設けられ、このピンも又、カラー６７の中心に向かって内方に突き出ている。ロックカラー６７は、取っ手部分２５の本体３１に設けられた環状凹部内に納められていて、カラー６７がチャネル３５を包囲すると共にチャネル３５の長手方向軸線に実質的に垂直な平面内に位置するようになっている。環状凹部は、チャネル３５に開口した一部分及び分離壁７１によりチャネル３５に対して閉ざされた一部分を有している。ロックカラー６７は、ロックタブ６９がチャネル３５に開口した部分内に位置すると共にピン７０がチャネル３５に対して閉ざされた部分内に位置するよう環状凹部内に納められている。ロックカラー６７は、ロックタブ６９がチャネル３５内に突き出るロック位置と、ロックタブ６９がチャネル３５内に突き出ることはない（又は、僅かな量だけチャネル３５内に突き出る）ロック解除位置との間で環状凹部内を動くことができる。圧縮ばね７２が、ロックカラー６７のピン７０周りに設けられており、この圧縮ばねは、ロックカラー６７と分離壁７１との間に延びていて、ロックカラー６７をロック位置に付勢するようになっている。
【００５２】
ロック凹部６８は、管３７の第１の端部３８に近接してワンド２６に設けられた凹部又は凹みを含む。ロック凹部６８は、ワンド６７が引き出し位置にあるとき、ロックカラー６７のロックタブ６９を受け入れるよう寸法決めされると共に位置決めされている。かくして、ロックタブ６９とロック凹部６８は、ロックカラー６７がロック位置にあるとき、引き出し位置からのワンド２６の移動を阻止するよう互いに係合する。
【００５３】
分離壁７１によりチャネル３５に対して閉ざされた環状凹部の部分は、支持体受入れ凹部３６に対して開口している。掃除機１の支持部材２４が図７に示されているように支持体受入れ凹部３６内に受け入れられると、支持部材２４の端部は、ロックカラー６７に当接し、圧縮ばね７２の付勢力に抗してこれを押す。その結果、ロックカラー６７は、ロック位置からロック解除位置に動くようになる。ロックタブ６９は、ロック解除位置にあるとき、もはやロック凹部６８内には突き出ず、かくして、ワンド２６は、引き出し位置から自由に動くことができる。
【００５４】
かくして、第２のロック手段は、ワンド組立体６を掃除機１に取り付ける時点まで（即ち、支持部材２４が取っ手部分２５の支持体受入れ凹部３６内に受け入れられる時点まで）ワンド２６を引っ込めることができないことを保証する。これにより、ワンド２６は、ワンド組立体６の使用中、不用意に引っ込むのが阻止される。さらに、第２のロック手段が設けられていない場合、ワンド組立体６が掃除機から分離された状態でワンド２６を引っ込めることが可能である。ワンド２６をホース１１内に引っ込め、次にワンド組立体６を掃除機１に取り付けることは、特にワンド２６の端部をワンドダクト１０内に案内しなければならないので、ユーザにとって困難であることが分かる。加うるに、ワンド２６の端部は、ワンド組立体６が掃除機から分離されるとき、ホース１１を損傷させる場合のあるエッジを有する。ホース１１の損傷は又、ワンド組立体６を掃除機１に取り付けようとしているときに、ワンド２６の端部と掃除機１の本体２との間を挟むことに起因して生じる場合がある。ワンド組立体６を掃除機１に取り付ける時点までワンド２６の引っ込みを阻止することにより、ワンド組立体６の格納が単純化され、潜在的にホース１を損傷させる方法が回避される。
【００５５】
引き続き図７を参照すると、支持体解除部材３０は、カラーの中間から内方に突き出た突部７３を備えた半円形カラーを有している。支持体解除部材３０は、取っ手部分２５の本体３１に設けられた保持凹部内に保持されている。保持凹部の一部分は、一方の側がチャネル３５に開口し、反対側が支持体受入れ凹部３６に開口している。
【００５６】
支持体解除部材３０は、チャネル３５の長手方向軸線に垂直な方向（即ち、半径方向）に保持凹部内で動くことができる。第１の位置では、突部７３は、チャネル３５内に突出し、第２の位置では、カラーの一部分は、支持体受入れ凹部３６内に突出する。図７では、支持体解除部材３０は、第１の位置にある。
【００５７】
支持体解除部材３０は、支持体解除部材３０が第１の位置にあるとき、突部７３がワンド２６の溝４０内に突き出るように取っ手部分２５内に配置されている。上述したように、ワンド２６の溝４０は、ワンド２６の第１の端部３８から所定距離を置いたところで終端している。支持体解除部材３０は、ワンド２６が引き出し位置に近づくと、突部７３が溝４０の終端壁７４に係合するように、取っ手部分２５内に配置されている。突部７３は傾斜しており（即ち、チャネル３５及びワンド２６の長手方向軸線に対して傾斜しており）、突部７３は、ワンド２６を引き出し位置に動かしているときに、溝４０の終端壁上でこれに沿って動く。これにより、支持体解除部材３０は、第１の位置から半径方向外方に動いて第２の位置に至る。
【００５８】
掃除機１の支持部材２４は、支持部材２４に旋回可能に取り付けられると共にばね（図示せず）によってロック位置とロック解除位置との間で付勢されている支持留め部７５を有している。ロック位置では、支持留め部７５の端部は、取っ手部分２５及びかくしてワンド組立体６を支持部材２４から分離することができないように支持体受入れ凹部３６内の壁７６に係合する。支持留め部７５は、ロック解除位置では、壁７６から離れて、取っ手部分２５及びかくしてワンド組立体６を支持部材２４から分離することができるようになっている。
【００５９】
支持部材２４が支持体受入れ凹部３６内に受け入れられると、支持留め部７５は、支持体解除部材３０に当接する。ワンド２６が引っ込み位置にある状態では、支持留め部７５は、ばねの付勢力を受けた状態で、図７に示すように支持体受入れ部材３０を第１の位置に動かす。しかしながら、ワンド２６を引き出すと、支持体解除部材３０は、第１の位置から第２の位置に動き、それにより支持留め部７５をばねの付勢力に抗してロック解除位置に動かす。それ故、ワンド２６が引っ込み位置にあるとき、支持留め部７５と支持体解除部材３０は、掃除機１からのワンド組立体６の分離を阻止するよう互いに協働する。逆に、ワンド２６が引き出し位置にあるとき、支持留め部７５と支持体解除部材３０は、掃除機１からのワンド組立体６の分離を可能にするよう互いに協働する。
【００６０】
したがって、支持留め部７５及び支持体解除部材３０は、ワンド２６を完全に引き出す時点までワンド組立体６を掃除機１から分離することができないことを保証する。この構成には、ワンド２６の片手による引き出しを助けるという利点がある。というのは、取っ手部分２５は、ワンド２６が完全に引き出されるまで掃除機１に効果的にロックされているからである。加うるに、上述した理由で、ホース１１は、ワンド組立体６が掃除機１から分離され、ワンド２６がホース１１内に引っ込められているときに損傷を受ける場合がある。具体的に言えば、ワンド２６の端部３８は、ホース１１を損傷させる場合のあるエッジを有することがある。したがって、ワンド２６を完全に引き出す時点まで掃除機１からのワンド組立体６の分離を阻止することにより、ホース１１の潜在的な損傷が回避される。
【００６１】
したがって、本発明のワンド組立体６は、掃除機１の切換え装置７を作動させるのに用いるのに理想的である。第１のロック手段は、ワンド２６が取っ手部分２５内に確実に保持されるようにし、他方、支持留め部７５は、取っ手部分２５が掃除機１にしっかりと保持されるようにする。さらに、ワンド解除機構体２８は、ワンド２６をロック解除してこれを引き出す迅速且つ簡単な手段となり、他方、支持体解除部材３０は、ワンド２６の引き出しに応動して取っ手部分２５を掃除機１からロック解除する。したがって、ワンド解除機構体２８と支持体解除部材３０との間には相乗効果が生じ、それにより、ユーザは、ワンド２６をロック解除してこれを取っ手２５から引き出すことができ、又、取っ手２５をロック解除してこれを掃除機１から分離することができ、これらは全て、片手だけを用いて行うことができる単一の操作によって行われる。
【００６２】
かくして、ワンド組立体６の特定の実施形態を上述したが、同一又は類似の結果及び利点を達成する第１のロック手段、ワンド解除機構体２８、第２のロック手段及び支持体解除部材３０の各々について別の構成を同様に採用することができる。
【００６３】
例えば、上述の実施形態では、第１のロック手段は、取っ手部分２５に設けられた弾性留め部４２及びワンド２６に設けられたロック突出部４３を有し、留め部４２とロック突出部４３は、ワンド２６が引っ込み位置にあるとき、引き出し位置へのワンド２６の移動を阻止するよう互いに係合する。しかしながら、同じ結果、即ち、引っ込み位置からのワンド２６の移動の阻止を他の手段によって同じように達成することができる。例えば、ロック突出部４３に代えてワンド２６に設けられた凹部又は凹みを用いても良く、留め部４２が、ワンド２６の位置をロックするようこの凹部又は凹み内に突き出る。別の変形例として、弾性留め部４２をワンド２６に設けると共に弾性留め部４２が係合するロック形状部（例えば、突出部又は凹部）を取っ手部分２５に設けても良い。この別の変形例では、ワンド解除機構体２８は、弾性留め部４２が窓６３を通ってスリーブ５７内に突き出るように構成されても良い。その結果、スリーブ５７をワンド２６に対して動かすと（即ち、スリーブ５７を引っ張ると）、スリーブ５７は、弾性留め部４２上でスライドし、留め部４２は、ロック位置からロック解除位置に旋回する。
【００６４】
上述した実施形態では、ワンド解除機構体２８は、スリーブ５７をワンド２６の長手方向軸線に平行な方向に並進させることによって作動される。しかしながら、変形例として、ワンド解除機構体２８は、スリーブ５７をワンド２６の長手方向軸線回りに回転させ、スリーブ５７を長手方向軸線に垂直な方向に（即ち、半径方向に）並進させ、又は並進運動と回転運動の任意の組み合わせによって作動されるようになっていても良い。
【００６５】
例として説明すると、回転による作動は、制限突部６０がスリーブ５７の周りに長手方向ではなく円周方向に延びて突き出るようにスリーブ凹部５９を適合されることによって達成可能である。加うるに、ワンド２６の溝４０内に突き出る位置決め突部５８を省いてワンド２６に対するスリーブ５７の回転運動を許容するようにしても良い。また、解除突出部６４は、スリーブ５７を回転させるにつれて漸増する力が第１のロック手段の留め部４２に加えられるよう長手方向ではなく円周方向に傾けられていても良い。最後に、第１のロック手段の弾性留め部４２は、留め部が旋回する中心となる回転軸線がチャネル３５の長手方向軸線に垂直ではなく平行であるように構成されていても良い。
【００６６】
ワンド解除機構体２８は、互いに異なる方向の移動時に作動可能に構成されてもよいが、ワンド解除機構体２８は、ワンド２６に取り付けられたままである。その結果、ワンド解除機構体２８は、取っ手部分２５からのワンド２６の片手による解除及び引き出しを可能にするという利点が得られたままにする。特に、第１の力をワンド解除機構体２８に加えてワンド解除機構体２８を作動させてワンド２６をロック解除しても良く、次の第２の力をワンド解除機構体２８に加えてワンド２６を取っ手部分２５から引き出すことができるようにしてもよい。例えば、回転による作動の場合、先ず最初にワンド解除機構体２８を回転させ、次にこれを引っ張ることによってワンド２６を引き出す。
【００６７】
また、第２のロック手段について種々の構成が可能である。例えば、支持部材２４が取っ手部分２５内に受け入れられた場合にのみロック解除される構成ではなく、第２のロック手段は、これがユーザの作動に応動してロック解除されるように構成されていても良い。例えば、ロックカラー６７に代えて、チャネル３５に向かって付勢されてワンド２６のロック凹部６８と係合する弾性留め部を用いても良い。この場合、ユーザは、留め部の端部を押して留め部をロック凹部６８から離脱させる。
【００６８】
同様に、支持体解除部材３０及び支持留め部７５について別の構成が可能である。例えば、突部７３を支持体解除部材３０から省いても良く、これに代えて、ワンド２６は、ワンド２６の第１の端部３８のところに傾斜肩（即ち、直径の漸変増大部）を有しても良く、この傾斜肩は、ワンド２６を引き出し位置に動かすと、支持体解除部材３０に係合してこれを動かす。支持体解除部材３０を完全に省いても良く、支持留め部７５は、ユーザによって作動されて取っ手部分２５を解除するよう構成されていても良い。さらに、支持留め部７５を支持部材２４ではなく取っ手部分２５に設けても良い。
【００６９】
支持留め部７５及び支持体解除部材３０は、ワンド２６が引き出される時点までワンド組立体６が掃除機１にロックされるようにするが、それにもかかわらず、ワンド組立体６が切換え装置７を作動させる機能を損なわないで、支持留め部７５及び支持体解除部材３０を省くことができる場合が存在する。例えば、ワンド組立体６の重量は、切換え装置７からの付勢力、即ち、ワンド２６の重量のみでは打ち勝つことができない力に打ち勝つのに十分であるのが良い。代替的に又は追加的に、支持部材２４と取っ手部分２５のしまり嵌めにより生じる摩擦力が、切換え装置７の付勢力に打ち勝つのに十分であっても良い。
【００７０】
ワンド組立体６に関する上述の説明において、「突出部」、「突部」、及び「タブ」という用語は、同一の意味を有するものであり、即ち、突出した又は突き出た部分である。分かりやすくするためだけに、具体的に言えば、ワンド組立体６の互いに異なるコンポーネントに表れる類似の特徴部を区別するために互いに異なる用語が用いられている。
【００７１】
かくして、直立型掃除機に用いられるワンド組立体を参照したが、ワンド組立体は、主掃除機ヘッド（又は他の掃除用ツール）とワンド組立体との間で動作を切り換える切換え装置を備えた他形式の掃除用電気器具に同様に使用できる。具体的に言えば、ワンド組立体６を、表面から流体を運び去る掃除用電気器具（例えば、乾式、湿式及び湿式／乾式掃除機）と流体を表面に運ぶ掃除用電気器具（例えば、研磨／ワックス掛け機械及び絨毯等の洗浄機械）に使用できる。
【００７２】
本発明は、以下のような態様とすることもできる。
（１）留め部は、付勢力に抗してロック位置とロック解除位置との間で動くことができ、解除機構体を作動させることにより、対向した力が付勢力に抗して留め部に加わり、それにより留め部をロック位置からロック解除位置に動かす。
（２）留め部は、取っ手部分に旋回可能に取り付けられ、ロック形状部は、ワンドに設けられ、解除機構体は、ワンドの一端部を包囲するスリーブを有し、スリーブは、解除機構体を第２の位置に動かすにつれて、留め部に当接して対向力を留め部に加える突出部を有する。
（３）支持体解除部材は、取っ手部分が支持部材に取り付けられるとき、ワンドと支持留め部の両方に当接し、ワンドと支持体解除部材は、支持体解除部材が、第２の位置へのワンドの移動に応答して支持留め部に向かう方向に動き、かくして支持留め部をロック解除位置に動かすよう協働する。
（４）ワンドは、終端壁を備えた溝を有し、支持体解除部材は、溝内に突き出た突部を有し、終端壁及び突部のうちの少なくとも一方は、ワンドを第２の位置に動かすにつれて、突部が終端壁に係合し、かくして支持体解除部材が支持留め部に向かう方向に動くように傾斜している。
（５）別のロック手段は、取っ手部分に取り付けられ、ワンド上に又はワンド内に設けられた形状部に係合して第２の位置からのワンドの移動を阻止する留め部を有し、留め部は、取っ手部分に取り付けられるとき、支持部材に係合するよう構成されており、留め部と支持部材の係合により、留め部は、ロック解除位置に動く。
（６）掃除機ヘッドと、ワンド組立体と、掃除ヘッド及びワンド組立体のうちの一方を選択することができる切換え装置とを有する掃除用電気器具であって、ワンド組立体は、掃除用電気器具に解除可能に取り付けられ、切換え装置は、ワンド組立体のワンドが第１の位置にあるときに掃除機ヘッドを選択し、ワンドが第２の位置にあるときにワンド組立体を選択する。
（７）切換え装置は、ワンド組立体が掃除用電気器具に取り付けられると共にワンドが第１の位置にあるときに力をワンドに加え、力は、ワンドを第２の位置に動かす成分を含む。
（８）掃除用電気器具は、掃除機である。
【符号の説明】
【００７３】
１  直立型掃除機
５  掃除機ヘッド
６  ワンド組立体
７  切換え装置
２４  支持部材
２５  取っ手部分
２６  管状ワンド
２８  解除機構体
３０  支持体解除部材
３５  チャネル
３６  支持体受入れ凹部
４２  弾性留め部
４３  ロック突出部
５７  スリーブ
５９  凹部
６０  突部
７５  支持留め部
【図１】
0005632876.tif 000002
【図２】
0005632876.tif 000003
【図３】
0005632876.tif 000004
【図４】
0005632876.tif 000005
【図５】
0005632876.tif 000006
【図６】
0005632876.tif 000007
【図７】
0005632876.tif 000008